(57)【要約】【課題】隣接するラックのアンテナとの干渉を生じにくく、隣接するラックに陳列された商品のＲＦＩＤタグを読みにくく、リアルタイムの商品管理ができる商品陳列用ラックを提供する。【解決手段】商品陳列用ラックは、ＲＦＩＤタグが付された商品を陳列するための商品陳列用ラックであって、先端部側に放射部を有し、給電部側に非放射部を有するケーブル状のリーダライタアンテナのうち、放射部が商品が陳列される空間内又は空間に面して敷設され、非放射部が空間と外部空間の少なくとも一部とを区切るように配置されている。【選択図】図１
2019205483.tif 000002
【特許請求の範囲】
【請求項１】
ＲＦＩＤタグが付された商品を陳列するための商品陳列用ラックであって、
先端部側に放射部を有し、給電部側に非放射部を有するケーブル状のリーダライタアンテナのうち、前記放射部が前記商品が陳列される空間内又は前記空間に面して敷設され、前記非放射部が前記空間と外部空間の少なくとも一部とを区切るように配置されている、商品陳列用ラック。
【請求項２】
前記リーダライタアンテナは、
内部導体および前記内部導体に沿って設けられた外部導体を有するケーブル状本体部と、
前記ケーブル状本体部の一端部に設けられ、前記内部導体のインピーダンスを前記外部導体のインピーダンスに合わせるための整合回路部と、
前記ケーブル状本体部の前記一端部から離間して前記外部導体に沿って設けられた磁性体と、
を有し、
前記ケーブル状本体部の一端部において、前記内部導体と前記外部導体とは前記整合回路部を介して接続されており、
前記整合回路部と、前記一端部から前記磁性体までの前記ケーブル状本体部とによって前記放射部が構成されており、
前記磁性体と、前記磁性体を設けた箇所から前記給電部側までの前記ケーブル状本体部とによって前記非放射部が構成されている、請求項１に記載の商品陳列用ラック。
【請求項３】
前記リーダライタアンテナの前記外部導体は、グランドと接続されている、請求項２に記載の商品陳列用ラック。
【請求項４】
前記リーダライタアンテナの前記放射部が前記空間内において二次元的または三次元的に配置されている、請求項１から３のいずれか一項に記載の商品陳列用ラック。
【請求項５】
前記リーダライタアンテナの前記非放射部は、前記空間と外部空間の少なくとも一部とを区切るように配置されている、請求項１から４のいずれか一項に記載の商品陳列用ラック。
【請求項６】
前記商品陳列用ラックは、衣料品を陳列するための移動式ハンガーラックである、請求項１から５のいずれか一項に記載の商品陳列用ラック。
【請求項７】
先端部側に放射部を有し、給電部側に非放射部を有するケーブル状のリーダライタアンテナであって、
内部導体および前記内部導体に沿って設けられた外部導体を有するケーブル状本体部と、
前記ケーブル状本体部の一端部に設けられ、前記内部導体のインピーダンスを前記外部導体のインピーダンスに合わせるための整合回路部と、
前記ケーブル状本体部の前記一端部から離間して前記外部導体に沿って設けられた磁性体と、
を備え、
前記ケーブル状本体部は、コネクタで接続された第１ケーブル部及び第２ケーブル部を含んでおり、
前記ケーブル状本体部の一端部において、前記内部導体と前記外部導体とは前記整合回路部を介して接続されており、
前記整合回路部と、前記一端部から前記磁性体までの前記ケーブル状本体部とによって前記放射部が構成されており、
前記磁性体と、前記磁性体を設けた箇所から前記給電部側までの前記ケーブル状本体部とによって前記非放射部が構成されている、リーダライタアンテナ。
【請求項８】
前記非放射部は、コネクタで接続された第３ケーブル部及び第４ケーブル部を含む、請求項７に記載のリーダライタアンテナ。
【請求項９】
ラックに陳列された商品の商品管理を行う商品管理システムであって、
陳列された商品のＲＦＩＤタグを読むための商品陳列用ラックと、
前記商品陳列用ラックと通信して前記商品の商品管理を行う店舗側端末と、
を備え、
前記商品陳列用ラックは、先端部側に放射部を有し、給電部側に非放射部を有するケーブル状のリーダライタアンテナのうち、前記放射部が前記商品が陳列される空間内又は前記空間に面して敷設され、前記非放射部が前記空間と外部空間の少なくとも一部とを区切るように配置されており、前記リーダライタアンテナの前記非放射部について前記空間と反対側に設けられた外部通信用アンテナを有し、
前記店舗側端末は、
前記商品陳列用ラックの前記外部通信用アンテナと通信するための店舗側アンテナと、
前記商品のＲＦＩＤタグの情報を管理する制御部と、
を有する、
商品管理システム。
【請求項１０】
前記店舗側端末の前記制御部は、特定のＲＦＩＤタグの読取り可否をリアルタイムに検出して、前記特定のＲＦＩＤタグが付された商品が前記ラックから取り出され、戻された回数を含む履歴を管理する、請求項９に記載の商品管理システム。
【発明の詳細な説明】
【技術分野】
【０００１】
本発明は、ケーブル状のリーダライタアンテナ、リーダライタアンテナを敷設した商品陳列用ラック及びこれを用いた商品管理システムに関する。
【背景技術】
【０００２】
従来、ＲＦＩＤシステムを利用した衣料品等の在庫管理が行われている（例えば、特許文献１及び２参照。）。このＲＦＩＤシステムでは、店員がハンディ型のリーダライタを走査することによって、各衣料品に取り付けられたＲＦＩＤタグの読取りを行っていた。
【０００３】
上記のＲＦＩＤシステムでは、バッチ的な管理は可能だが、リアルタイムの管理はできない。
【０００４】
また、ループアンテナを有するリーダ装置が備えられたラックが知られている（例えば、特許文献３及び４参照）。このラックによれば、ラックそのものにリーダ装置が備えられており、リアルタイムの在庫管理ができる。
【先行技術文献】
【特許文献】
【０００５】
【特許文献１】特開２００４−２４６６１７号公報
【特許文献２】特開２０１５−２３４５７号公報
【特許文献３】特表２００７−５３５７６２号公報
【特許文献４】特許第５６８９５６５号公報
【発明の概要】
【発明が解決しようとする課題】
【０００６】
しかし、複数のラックが隣接している場合、ループアンテナ同士が干渉してしまったり、隣接するラックに吊るされたＲＦＩＤタグを読んでしまったりすることがある。また、ループアンテナは、近くに金属物があると、その通信特性が大きく劣化するという問題がある。
【０００７】
そこで、本発明の目的は、隣接するラックのアンテナとの干渉を生じにくく、隣接するラックに陳列された商品のＲＦＩＤタグを読みにくく、リアルタイムの商品管理ができる商品陳列用ラックを提供することである。
【課題を解決するための手段】
【０００８】
本発明に係る商品陳列用ラックは、ＲＦＩＤタグが付された商品を陳列するための商品陳列用ラックであって、
先端部側に放射部を有し、給電部側に非放射部を有するケーブル状のリーダライタアンテナのうち、前記放射部が前記商品が陳列される空間内又は前記空間に面して敷設され、前記非放射部が前記空間と外部空間の少なくとも一部とを区切るように配置されている。
【０００９】
本発明に係るリーダライタアンテナは、先端部側に放射部を有し、給電部側に非放射部を有するケーブル状のリーダライタアンテナであって、
内部導体および前記内部導体に沿って設けられた外部導体を有するケーブル状本体部と、
前記ケーブル状本体部の一端部に設けられ、前記内部導体のインピーダンスを前記外部導体のインピーダンスに合わせるための整合回路部と、
前記ケーブル状本体部の前記一端部から離間して前記外部導体に沿って設けられた磁性体と、
を備え、
前記ケーブル状本体部は、コネクタで接続された第１ケーブル部及び第２ケーブル部を含んでおり、
前記ケーブル状本体部の一端部において、前記内部導体と前記外部導体とは前記整合回路部を介して接続されており、
前記整合回路部と、前記一端部から前記磁性体までの前記ケーブル状本体部とによって前記放射部が構成されており、
前記磁性体と、前記磁性体を設けた箇所から前記給電部側までの前記ケーブル状本体部とによって前記非放射部が構成されている。
【００１０】
本発明に係る商品管理システムは、ラックに陳列された商品の商品管理を行う商品管理システムであって、
陳列された商品のＲＦＩＤタグを読むための商品陳列用ラックと、
前記商品陳列用ラックと通信して前記商品の商品管理を行う店舗側端末と、
を備え、
前記商品陳列用ラックは、先端部側に放射部を有し、給電部側に非放射部を有するケーブル状のリーダライタアンテナのうち、前記放射部が前記商品が陳列される空間内又は前記空間に面して敷設され、前記非放射部が前記空間と外部空間の少なくとも一部とを区切るように配置されており、前記リーダライタアンテナの前記非放射部について前記空間と反対側に設けられた外部通信用アンテナを有し、
前記店舗側端末は、
前記商品陳列用ラックの前記外部通信用アンテナと通信するための店舗側アンテナと、
前記商品のＲＦＩＤタグの情報を管理する制御部と、
を有する。
【発明の効果】
【００１１】
本発明に係る商品陳列用ラック及びこれを用いた商品管理システムによれば、ケーブル状のリーダライタアンテナを用いている。このため、隣接するラックのアンテナとの干渉を生じにくく、隣接するラックに陳列された商品のＲＦＩＤタグを読みにくく、リアルタイムの商品管理ができる。
【図面の簡単な説明】
【００１２】
【図１】実施の形態１に係る商品陳列用ラックであるハンガーラックの構成を示す概略斜視図である。
【図２】図１のハンガーラックを２つ並べて、それぞれにハンガーを掛け、それぞれのケーブルアンテナを介して商品のＲＦＩＤタグとそれぞれ通信する様子を示す概略斜視図である。
【図３Ａ】図１のハンガーラックに用いるリーダライタアンテナの構成を示す概略図である。
【図３Ｂ】図３Ａの整合回路部の概略図である。
【図４Ａ】整合回路部の平面図である。
【図４Ｂ】図４ＡのＡ−Ａ方向に見た整合回路部の側断面図である。
【図４Ｃ】図４Ａの整合回路部の等価回路図である。
【図５Ａ】ハンガーに掛けられたＲＦＩＤタグ付きの衣服を示す概略図である。
【図５Ｂ】ＲＦＩＤタグの一例を示す概略図である。
【図６】実施の形態１に係るハンガーラックを含む在庫管理システムの構成を示すブロック図である。
【図７Ａ】リーダライタアンテナの放射部をコネクタを介して延長した場合を示す概略図である。
【図７Ｂ】２つのコネクタ間で延長された放射部の拡大図である。
【図７Ｃ】図７Ｂの斜視図である。
【図７Ｄ】リーダライタアンテナの非放射部をコネクタを介して延長した場合を示す概略図である。
【図７Ｅ】２つのコネクタ間で延長された非放射部の拡大図である。
【図７Ｆ】図７Ｅの斜視図である。
【図８】実施の形態２に係る商品陳列用ラックである陳列台の構成を示す概略斜視図である。
【図９】実施の形態３に係る商品陳列用ラックである陳列用シェルフの構成を示す概略斜視図である。
【発明を実施するための形態】
【００１３】
第１の態様に係る商品陳列用ラックは、ＲＦＩＤタグが付された商品を陳列するための商品陳列用ラックであって、
先端部側に放射部を有し、給電部側に非放射部を有するケーブル状のリーダライタアンテナのうち、前記放射部が前記商品が陳列される空間内又は前記空間に面して敷設され、前記非放射部が前記空間と外部空間の少なくとも一部とを区切るように配置されている。
【００１４】
上記構成によれば、ケーブル状のリーダライタアンテナを用いているので、隣接するラックのアンテナとの干渉を生じにくく、隣接するラックに陳列された商品のＲＦＩＤタグを読みにくく、リアルタイムの商品管理ができる。
【００１５】
第２の態様に係る商品陳列用ラックは、上記第１の態様の構成において、前記リーダライタアンテナは、
内部導体および前記内部導体に沿って設けられた外部導体を有するケーブル状本体部と、
前記ケーブル状本体部の一端部に設けられ、前記内部導体のインピーダンスを前記外部導体のインピーダンスに合わせるための整合回路部と、
前記ケーブル状本体部の前記一端部から離間して前記外部導体に沿って設けられた磁性体と、
を有し、
前記ケーブル状本体部の一端部において、前記内部導体と前記外部導体とは前記整合回路部を介して接続されており、
前記整合回路部と、前記一端部から前記磁性体までの前記ケーブル状本体部とによって前記放射部が構成されており、
前記磁性体と、前記磁性体を設けた箇所から前記給電部側までの前記ケーブル状本体部とによって前記非放射部が構成されていてもよい。
【００１６】
第３の態様に係る商品陳列用ラックは、上記第２の態様の構成において、前記リーダライタアンテナの前記外部導体は、グランドと接続されていてもよい。
【００１７】
第４の態様に係る商品陳列用ラックは、上記第１から第３のいずれかの態様の構成において、前記リーダライタアンテナの前記放射部が前記空間内において二次元的または三次元的に配置されていてもよい。
【００１８】
第５の態様に係る商品陳列用ラックは、上記第１から第４のいずれかの態様の構成において、前記リーダライタアンテナの前記非放射部は、前記空間と外部空間の少なくとも一部とを区切るように配置されていてもよい。
【００１９】
第６の態様に係る商品陳列用ラックは、上記第１から第５のいずれかの態様の構成において、前記ラックは、衣料品を陳列するための移動式ハンガーラックであってもよい。
【００２０】
第７の態様に係るリーダライタアンテナは、先端部側に放射部を有し、給電部側に非放射部を有するケーブル状のリーダライタアンテナであって、
内部導体および前記内部導体に沿って設けられた外部導体を有するケーブル状本体部と、
前記ケーブル状本体部の一端部に設けられ、前記内部導体のインピーダンスを前記外部導体のインピーダンスに合わせるための整合回路部と、
前記ケーブル状本体部の前記一端部から離間して前記外部導体に沿って設けられた磁性体と、
を備え、
前記ケーブル状本体部は、コネクタで接続された第１ケーブル部及び第２ケーブル部を含んでおり、
前記ケーブル状本体部の一端部において、前記内部導体と前記外部導体とは前記整合回路部を介して接続されており、
前記整合回路部と、前記一端部から前記磁性体までの前記ケーブル状本体部とによって前記放射部が構成されており、
前記磁性体と、前記磁性体を設けた箇所から前記給電部側までの前記ケーブル状本体部とによって前記非放射部が構成されている。
【００２１】
上記構成によれば、ケーブル状本体部をコネクタ間に延長部分を挟むことで、放射部及び／又は非放射部について必要な長さに延長することができる。
【００２２】
第８の態様に係るリーダライタアンテナは、上記第７の態様の構成において、前記非放射部は、コネクタで接続された第３ケーブル部及び第４ケーブル部を含んでもよい。
【００２３】
第９の態様に係る商品管理システムは、ラックに陳列された商品の商品管理を行う商品管理システムであって、
陳列された商品のＲＦＩＤタグを読むための商品陳列用ラックと、
前記商品陳列用ラックと通信して前記商品の商品管理を行う店舗側端末と、
を備え、
前記商品陳列用ラックは、先端部側に放射部を有し、給電部側に非放射部を有するケーブル状のリーダライタアンテナのうち、前記放射部が前記商品が陳列される空間内又は前記空間に面して敷設され、前記非放射部が前記空間と外部空間の少なくとも一部とを区切るように配置されており、前記リーダライタアンテナの前記非放射部について前記空間と反対側に設けられた外部通信用アンテナを有し、
前記店舗側端末は、
前記商品陳列用ラックの前記外部通信用アンテナと通信するための店舗側アンテナと、
前記商品のＲＦＩＤタグの情報を管理する制御部と、
を有する。
【００２４】
上記構成によれば、ケーブル状のリーダライタアンテナを用いているので、隣接するラックのアンテナとの干渉を生じにくく、隣接するラックに陳列された商品のＲＦＩＤタグを読みにくく、リアルタイムの商品管理ができる。
【００２５】
第１０の態様に係る商品管理システムは、上記第９の態様の構成において、前記店舗側端末の前記制御部は、特定のＲＦＩＤタグの読取り可否をリアルタイムに検出して、前記特定のＲＦＩＤタグが付された商品が前記ラックから取り出され、戻された回数を含む履歴を管理してもよい。
【００２６】
以下、実施の形態に係るリーダライタアンテナ、商品陳列用ラック及びこれを用いた商品管理システムについて、添付図面を参照しながら説明する。なお、図面において実質的に同一の部材については同一の符号を付している。
【００２７】
（実施の形態１）
図１は、実施の形態１に係る商品陳列用ラックであるハンガーラック１０の構成を示す概略斜視図である。図２は、図１のハンガーラック１０，１０ａを２つ並べて、それぞれにハンガー３、３ａを掛け、それぞれのケーブル状のリーダライタアンテナ２０、２０ａを介して商品２、２ａのＲＦＩＤタグ１、１ａとそれぞれ通信する様子を示す概略斜視図である。なお、図面では、便宜上、ハンガーラック１０、１０ａの水平方向の左から右に向かってｘ方向とし、手前から奥に向かってｙ方向とし、垂直方向の下から上に向かってｚ方向としている。
【００２８】
このハンガーラック１０、１０ａは、ＲＦＩＤタグ１、１ａが付された商品２、２ａを陳列するためのハンガーラック１０，１０ａである。このハンガーラック１０，１０ａは、後述するように、先端部側に放射部２７を有し、給電部２３側に非放射部２８を有するリーダライタアンテナ２０、２０ａが敷設されている。リーダライタアンテナ２０、２０ａのうち、放射部２７が商品２，２ａが陳列される空間４、４ａ内又は空間４、４ａに面して敷設されている。また、非放射部２８が空間４，４ａと外部空間の少なくとも一部とを区切るように配置されている。非放射部２８は、シールド部材として機能する。
【００２９】
具体的には、図１に示すように、放射部２７は、底部１３の裏面に配置されている。また、磁性体２６と非放射部２８とは、絶縁体である支柱１２の内部に配置されている。なお、底部１３に、店舗側アンテナと通信するための外部通信用アンテナを含む通信モジュール２２、２２ａが設けられている。
【００３０】
このハンガーラック１０によれば、ケーブル状のリーダライタアンテナ２０を用いているので、隣接するラック１０ａのリーダライタアンテナ２０ａとの干渉を生じにくい。また、リーダライタアンテナ２０の非放射部２８を商品を陳列する空間４と外部空間の少なくとも一部とを区切るシールド部材として用いている。そこで、隣接するラック１０ａに陳列された商品２ａのＲＦＩＤタグ１ａを読みにくく、リアルタイムの商品管理ができる。ハンガーラック１０ａについても同様であって、ケーブル状のリーダライタアンテナ２０ａを用いているので、隣接するラック１０のリーダライタアンテナ２０との干渉を生じにくい。また、リーダライタアンテナ２０ａの非放射部２８ａを商品を陳列する空間４ａと外部空間の少なくとも一部とを区切るシールド部材として用いている。そこで、隣接するラック１０に陳列された商品２のＲＦＩＤタグ１を読みにくく、リアルタイムの商品管理ができる。
【００３１】
以下に、このハンガーラック１０，１０ａを構成する構成部材について説明する。
【００３２】
＜ラック＞
ラック１０，１０ａとは、商品を陳列するための棚、台、架などであり、ハンガーラック、陳列台、陳列用シェルフ等を含むものである。例えば、図１のハンガーラック１０では、ハンガー３を掛けるためのハンガーパイプ１１と、ハンガーパイプ１１を支える支柱１２と、底部１３と、キャスター１４と、を備える。また、ハンガーパイプ１１と、支柱１２と、底部１３と、で囲まれる空間４は、商品である衣服２を陳列するための空間である。ハンガーパイプ１１、支柱１２、及び、底部１３は、樹脂、木材、等の絶縁体からなる。
【００３３】
＜リーダライタアンテナ＞
図３Ａは、図１のハンガーラック１０に用いるリーダライタアンテナ２０の一例の構成を示す概略図である。図３Ｂは、図３Ａの整合回路部３０の概略図である。図４Ａは、図３Ｂの整合回路部３０の平面図である。図４Ｂは、図４ＡのＡ−Ａ方向に見た整合回路部３０の側断面図である。なお、図４Ｂでは、ビアホール導体３２の断面及びケーブル状本体部２１の両方の断面を示すために、便宜上、途中で断面を切り替えている。図４Ｃは、図４Ａの整合回路部３０の等価回路図である。
【００３４】
リーダライタアンテナ２０は、図１及び図２に示すように、商品２が陳列される空間４内のＲＦＩＤタグ１と通信するためのリーダライタアンテナである。このリーダライタアンテナ２０は、先端部側に放射部２７を有し、給電部２３側に非放射部２８を有する。リーダライタアンテナ２０の放射部２７は、図１に示すように、商品２が陳列される空間４に面して敷設されている。ここで敷設されるとは、部材に沿って設けられる場合に限られず、より一般的に、配置される、設置される、等の意味を含んでいる。また、空間４に面して敷設される、とは、空間４に直接又は間接に面して配置されることを含んでいる、空間４に直接に面して配置される場合とは、例えば、空間４を囲む面に沿って配置されている場合である。また、空間４に間接に面して配置される場合とは、例えば、空間４を囲む部材に面して配置される場合である。
【００３５】
図１では、リーダライタアンテナ２０は、底部１３に設けられた通信モジュール２２から非放射部２８が絶縁体である支柱１２の内部に沿ってｚ軸正方向に延在する。次いで、ハンガーパイプ１１の内部に沿ってｘ軸正方向に一方の支柱１２から他方の支柱に延在する。次いで、支柱１２の内部に沿ってｚ軸負方向に延在する。支柱１２と底部１３との間に非放射部２８と放射部２７とを区切る磁性体２６が配置され、底部１３では放射部２７が面に沿ってミアンダ状に配置されている。なお、図１では、放射部２７は、底部１３の裏面にミアンダ状に設けられている。放射部２７の配置は、底部１３の裏面に設ける場合に限られない。
【００３６】
具体的には、図１に示すように、リーダライタアンテナ２０の放射部２７は、空間４に面する底部１３の裏面に沿って配置されている。
【００３７】
なお、リーダライタアンテナ２０の放射部２７は、図１の場合に限られず、空間４内に配置されていてもよい。例えば、二次元的または三次元的に配置されていてもよい。さらに、空間内に含まれる曲面に沿って配置されていてもよい。なお、一次元的、つまり直線的に配置されていてもよい。本発明の範囲であれば、上記図面に示される配置に限定されない。
【００３８】
さらに、リーダライタアンテナ２０の非放射部２８は、空間４と外部空間の少なくとも一部とを区切るように配置されている。具体的には、リーダライタアンテナ２０の非放射部２８は、支柱１２、ハンガーパイプ１１にわたって空間４と外部空間の少なくとも一部とを区切るように配置されている。これによって、リーダライタアンテナ２０の非放射部２８は、シールド部材として機能している。
【００３９】
また、リーダライタアンテナ２０は、例えば、図３Ａに示すように、内部導体２４および内部導体２４に沿って設けられた外部導体２５を有するケーブル状本体部２１を有する。このケーブル状本体部２１は、例えば、同軸ケーブルが用いられている。また、リーダライタアンテナ２０は、ケーブル状本体部２１の一端部に設けられた整合回路部３０と、ケーブル状本体部２１の一端部から離間して外部導体２５に沿って設けられた磁性体２６と、を有する。整合回路部３０によって、内部導体２４のインピーダンスを外部導体２５のインピーダンスに合わせることができる。また、ケーブル状本体部２１の一端部において、内部導体２４と外部導体２５とは整合回路部３０を介して接続されている。磁性体２６によって、整合回路部３０及び一端部から磁性体２６までのケーブル状本体部２１による放射部２７と、磁性体２６及び磁性体２６を設けた箇所から給電部２３側までのケーブル状本体部２１とによる非放射部２８とに区切られる。放射部２７によってＲＦＩＤタグ１との通信を行うことができる。このリーダライタアンテナ２０では、非放射部２８は、シールド部材として機能する。なお、磁性体２６としては、例えばフェライト等を用いることができる。また、リーダライタアンテナ２０の外部導体２５は、グランドと接続されている。これによって電気的により安定する。
【００４０】
整合回路部３０は、図３Ｂに示すように、ケーブル状本体部２１の一端部において内部導体２４が外部導体２５と容量結合によって接続されている。具体的には、図４Ａ及び図４Ｂに示すように、整合回路部３０は、構造的には、内部導体２４と接続された平面状の第１導体層３１と、ビアホール導体３２と、平面状の第２導体層３３と、を含む。第１導体層３１及び第２導体層３３は、外部導体２５の外径よりも広い幅を有し、ケーブル状本体部２１の延在方向に沿って絶縁体３４を介して対向している。また、第１導体層３１と第２導体層３３とは、２箇所のビアホール導体３２で互いに接続されている。第２導体層３３は、第１導体層３１よりも長く、外部導体２５と絶縁体３４を介して重なり合うように配置されている。
【００４１】
また、整合回路部３０は、電気的には、内部導体２４と第１導体層３１とが電気的に接続し、第１導体層３１と第２導体層３３とは２箇所のビアホール導体３２で電気的に接続されている。さらに、第２導体層３３と外部導体２５とは絶縁体３４を介するキャパシタ成分３５を有する容量結合によって接続している。つまり、図４Ｃに示すように、内部導体２４と外部導体２５とは、キャパシタ成分３５とインダクタ成分３６とを含む整合回路部３０を介して接続している。
【００４２】
なお、整合回路部３０の構成は、図４Ａ及び図４Ｂの場合に限られない。例えば、複数のキャパシタと複数のインダクタとがそれぞれ組み合わされて並列に配置されていてもよい。
【００４３】
このリーダライタアンテナ２０は、外部導体２５に生じる定在波を利用したアンテナであって、いわゆるループアンテナではない。また、その電波エリアはリーダライタアンテナ２０の近傍約１ｍ以内に限られる。さらに、金属体や磁性体が近くにあっても、周波数特性は大きく変わらない。またさらに、このリーダライタアンテナ２０によれば、屈曲させても屈曲部分間での干渉等が生じないので、商品２を陳列する空間４に２次元的又は３次元的に比較的自由に配置することができる。
【００４４】
図７Ａは、コネクタ３８ｂ、３８ｃを介してリーダライタアンテナ２０の放射部２７のアンテナ長を延長した場合を示す概略図である。図７Ｂは、２つのコネクタ３８ｂ、３８ｃ間で延長された放射部２７の拡大図である。図７Ｃは、図７Ｂの斜視図である。図７Ｄは、リーダライタアンテナ２０の非放射部２８をコネクタ３８ｄ、３８ｅを介して延長した場合を示す概略図である。図７Ｅは、２つのコネクタ３８ｄ、３８ｅ間で延長された非放射部２８の拡大図である。図７Ｆは、図７Ｅの斜視図である。
【００４５】
図７Ａ乃至図７Ｃに示すように、内部導体２４及び外部導体２５を含むケーブル状本体部（同軸ケーブル）２１の放射部２７は、２つのコネクタの間に延長部分を挟むことで延長できる。ここでは、第１ケーブル部４０ａ、４０ｃの間に凸部３９ａと凹部３９ｂとの組み合わせによるコネクタ３８ｂと、凸部３９ｃと凹部３９ｄとの組み合わせによるコネクタ３８ｃとを設けている。第１ケーブル部４０ａ、４０ｃは、コネクタ３８ｂとコネクタ３８ｄとの間に延長部分となる第２ケーブル部４０ｂを挟むことで延長できる。上記のように放射部２７を延長する場合には、ＲＦＩＤ通信を考慮して所定長さに調整する。
【００４６】
図７Ｄ乃至図７Ｆに示すように、内部導体２４及び外部導体２５を含むケーブル状本体部（同軸ケーブル）２１の非放射部２８は、２つのコネクタの間に延長部分を挟むことで延長できる。ここでは、第３ケーブル部４０ｄ、４０ｅの間に凸部３９ｅと凹部３９ｆとの組み合わせによるコネクタ３８ｄと、凸部３９ｇと凹部３９ｈとの組み合わせによるコネクタ３８ｅとを設けている。第３ケーブル部４０ｄ、４０ｆは、コネクタ３８ｅとコネクタ３８ｆとの間に延長部分となる第４ケーブル部４０ｅを挟むことで延長できる。上記のように非放射部２８を延長する場合には、シールド部材として必要な長さとなるように延長すればよい。
【００４７】
なお、図７Ａ乃至図７Ｆでは、一つのケーブル状本体部２１の間に２つのコネクタを設け、２つのコネクタの間に一つの延長部分を挟んだ状態を示したが、これに限られず、複数の延長部分を挟んでもよい。あるいは、２つの部分を一つのコネクタで接続して、全体として一つのケーブル状本体部２１を構成してもよい。さらに、放射部及び／又は非放射部において、それぞれコネクタ間に延長部分を挟んで延長してもよい。また、このコネクタ３８ｂ、３８ｃは、凸部３９ａ、３９ｃと凹部３９ｂ、３９ｄとの組み合わせで構成しているが、これに限られない。２つの同型の部材を組み合わせて一つのコネクタとしてもよい。
【００４８】
なお、リーダライタアンテナとしては、図３Ａの構成、つまり、同軸ケーブルを用いたケーブル状本体部２１と、その一端部に設けられた整合回路部３０と、一端部から離間して設けられた磁性体２６とを有するリーダライタアンテナ２０に限られない。例えば、漏洩同軸ケーブルであってもよい。なお、漏洩同軸ケーブルは、スロットの設計等が難しく、自由に屈曲させることが困難であるので、上記図３Ａの構成のリーダライタアンテナ２０が漏洩同軸ケーブルより好ましい。
【００４９】
＜シールド部材＞
上述のように、このハンガーラック１０では、リーダライタアンテナ２０の非放射部２８がシールド部材として機能している。具体的には、このリーダライタアンテナ２０の非放射部は、支柱１２、ハンガーパイプ１１にわたって空間４と外部空間の少なくとも一部とを区切るように配置されている。
【００５０】
このリーダライタアンテナ２０の非放射部２８によって、商品２、２ａが陳列される空間を区切ることができる。そこで、複数のラック１０、１０ａが隣接していても、リーダライタアンテナ２０，２０ａ同士の干渉を抑制できる。また、隣接するラックに吊られたＲＦＩＤタグ１、１ａを読むことを抑制できる。
なお、図３Ａのリーダライタアンテナ２０によれば、電波エリアが１ｍ程度であり、隣接するラックのリーダライタアンテナとの干渉も生じにくく、隣接するラックに吊られたＲＦＩＤを読みにくい。
そこで、リーダライタアンテナ２０と、リーダライタアンテナ２０の非放射部２８をシールド部材として用いることと、を組み合わせることで、リーダライタアンテナ２０，２０ａ同士の干渉をさらに抑制できる。また、隣のラックに吊られたＲＦＩＤタグ１、１ａを読むことをさらに抑制できる。これによって、ラックの移動の自由度を高くできる。
【００５１】
＜通信モジュール＞
図６のブロック図に示すように、通信モジュール２２は、店舗側アンテナ５１と通信するための外部通信用アンテナ４７を備える。また、通信モジュール２２は、リーダライタアンテナ２０と接続されているＲＦＩＤ通信用のＲＦＩＣ素子４４と、外部通信用アンテナ４７と、外部通信用アンテナ４７と接続されているＷｉＦｉ（登録商標）／Ｂｌｕｅｔｏｏｔｈ（登録商標）通信用のＲＦＩＣ素子４６と、制御部４５とを備える。
なお、ここでは店舗側端末との通信のためにＷｉＦｉ（登録商標）等の無線通信を挙げているが、無線通信に限られず、有線通信であってもよい。
【００５２】
図１及び図２に示すように、通信モジュール２２、２２ａは、リーダライタアンテナ２０の非放射部２８について空間４、４ａと反対側に設けている。つまり、少なくともリーダライタアンテナ２０の放射部２７と外部通信用アンテナ４７との間にリーダライタアンテナ２０の非放射部２８を挟むように配置することによって、リーダライタアンテナ２０によるＲＦＩＤ通信が外部通信用アンテナ４７によるＷｉＦｉ（登録商標）／Ｂｌｕｅｔｏｏｔｈ（登録商標）通信に阻害されにくくできる。
また、通信モジュール２２は、駆動させるためのバッテリーを含む。
【００５３】
＜外部通信用アンテナ＞
外部通信用アンテナ４７は、店舗側アンテナ５１と通信するためのものである。外部通信用アンテナ４７は、店舗側アンテナ５１とＵＨＦ帯またはＳＨＦ帯で通信するものであればよい。外部通信用アンテナ４７と店舗側アンテナ５１とで近距離無線通信システムを構成する。なお、これらの近距離無線通信システムは１０ｍ〜１００ｍ程度の通信距離を有した近距離無線通信システムであり、２．４ＧＨｚ帯や５ＧＨｚ帯の通信周波数帯を利用する。つまり、上記の９００ＭＨｚ帯を利用したＲＦＩＤシステムとは通信周波数帯や電波の強度や性質が異なるため、近距離無線通信システムとＲＦＩＤ通信との干渉はほとんど無い。この近距離無線通信システムで用いるアンテナは共振系のアンテナである。なお、近距離無線通信システムとしては、ＷｉＦｉ（登録商標）に代表される無線ＬＡＮシステムの他、Ｂｌｕｅｔｏｏｔｈ（登録商標）システムを利用してもよい。
【００５４】
＜ＲＦＩＤタグを付した物品について＞
ＲＦＩＤタグ１を付した物品２について説明する。
【００５５】
＜ＲＦＩＤタグ＞
図５Ａは、ハンガー３に掛けられたＲＦＩＤタグ１付きの衣服２を示す概略図である。図５Ｂは、ＲＦＩＤタグ１の一例を示す概略図である。
このＲＦＩＤタグ１は、図５Ａに示すように、商品２である衣服に付されている。本実施の形態１ではＲＦＩＤタグ１は、商品２にひも等で取り付けられているが、これに限られず、直接に取り付けられていてもよい。ＲＦＩＤタグ１は、ＲＦＩＣ素子４１と、その両側にミアンダ状に延在する２つのアンテナ素子４３ａ、４３ｂを備えたダイポールアンテナ４２によって構成されている。また、ＲＦＩＤタグ１の全体をカバー材（図示せず）で覆っていてもよい。なお、アンテナは、ミアンダ状でない直線状のダイポールアンテナであってもよい。さらに、ループ状アンテナであってもよい。ＲＦＩＤタグ１のアンテナ素子４２の構成は、通信の周波数帯に応じて適宜選択すればよい。ＲＦＩＣ素子４１は整合回路部とともにパッケージされていてもよい。また、カバー材の表面には、例えば値段やブランド名等が印字していてもよい。なお、ＲＦＩＤタグ１は、通常、衣服２に付される、あるいはひも付け等により物理的に接続されているが、これに限られない。例えば、ＲＦＩＤタグ１と、衣服２とが物理的には分離しており、別個に配置されていてもよい。この場合にもＲＦＩＤタグ１は、商品２と関連付けられていればよい。
【００５６】
＜商品＞
ＲＦＩＤタグ１を付する商品２としては、陳列する空間４の中に配置するものであって、ＲＦＩＤタグ１による管理を行うものであれば何でもよい。例えば、商品２としては、衣服の他、食品、食器、容器、小物等であってもよい。また、取扱いに注意を要する宝飾品や食器等についても、各商品２に直接に触れることなく、在庫管理、セキュリティに関する管理を行うことができる。
【００５７】
＜商品管理システム＞
図６は、実施の形態１に係る商品陳列用ラックであるハンガーラック１０を含む商品管理システムの構成を示すブロック図である。
【００５８】
この商品管理システムは、ハンガーラック１０内に陳列された商品のＲＦＩＤタグ１、１ａを読み取るハンガーラック１０と、ハンガーラック１０と通信して商品の商品管理を行う店舗側端末５０と、を備える。
【００５９】
＜ハンガーラック＞
ハンガーラック１０は、先端部側に放射部２７を有し、給電部２３側に非放射部２８を有するリーダライタアンテナ２０、２０ａが敷設されている。具体的には、リーダライタアンテナ２０、２０ａのうち、放射部２７が商品２，２ａが陳列される空間４、４ａ内に敷設されている。また、非放射部２８が空間４，４ａと外部空間の少なくとも一部とを区切るように配置されている。非放射部２８は、シールド部材として機能する。また、店舗側アンテナと通信するための外部通信用アンテナを含む通信モジュール２２、２２ａが設けられている。
なお、このハンガーラック１０は、上述の通りであるので詳細の説明を省略する。
【００６０】
＜店舗側端末＞
また、店舗側端末５０は、ハンガーラック１０の外部通信用アンテナ４７と通信するための店舗側アンテナ５１と、店舗側アンテナ５１と接続され、外部通信用アンテナ４７との近距離無線通信用のＲＦＩＣ素子５２と、商品のＲＦＩＤタグの情報を管理する制御部５３と、を有する。
【００６１】
この店舗側アンテナ５１は、ハンガーラック１０の外部通信用アンテナ４７とＵＨＦ帯またはＳＨＦ帯で近距離無線通信を行う。近距離無線通信システムとしては、ＷｉＦｉ（登録商標）に代表される無線ＬＡＮシステムの他、Ｂｌｕｅｔｏｏｔｈ（登録商標）システムを利用してもよい。
【００６２】
また、店舗側端末５０の制御部５３によって商品管理を行う。例えば、特定のＲＦＩＤタグの読取り可否をリアルタイムに検出して、特定のＲＦＩＤタグが付された商品がラック１０から取り出され、戻された回数を含む履歴を管理してもよい。あるいは、会計処理と連動させて商品管理を行ってもよい。
【００６３】
＜ラックのハンガーパイプ及び支柱の金属化について＞
なお、ラック１０のハンガーパイプ１１及び支柱１２を絶縁体ではなく金属等の導体とした場合には、ハンガーパイプ１１及び支柱１２自体がシールド部材として機能する。しかし、このハンガーパイプ１１及び支柱１２は、通常、接地されているわけではないのでシールド部材として電気的に安定ではないと考えられる。
【００６４】
これに対して、リーダライタアンテナ２０の非放射部２８を支柱１２の内部ではなく、空間４側に配置する。また、ハンガーパイプ１１の空間４側、つまりハンガーパイプ１１の下方側に配置する。この場合には、上述のように、リーダライタアンテナ２０の外部導体２５がグランドに接続されている。つまり、ハンガーパイプ１１及び支柱１２は、リーダライタアンテナ２０の外部導体２５と電気的に接続されるので、ハンガーパイプ１１及び支柱１２もグランドに接続されていることとなり、ハンガーパイプ１１及び支柱１２はシールド部材として機能すると共に、電気的に安定化させることができる。
【００６５】
（実施の形態２）
図８は、実施の形態２に係る商品陳列用ラックである陳列台６０の構成を示す概略斜視図である。
【００６６】
実施の形態２に係る商品陳列用ラックである陳列台６０は、商品を陳列するための空間（２次元平面）６１を有する。この２次元平面６１の内側にリーダライタアンテナ２０の放射部２７が２次元的にミアンダ状に配置されている。一方、リーダライタアンテナ２０の非放射部２８が２次元平面６１の外側を囲むように配置されている。このリーダライタアンテナ２０の非放射部２８がシールド部材として機能する。これらの陳列台６０によって、２次元平面６１内に陳列された商品に付されたＲＦＩＤタグを適切に読み取ることができる。
【００６７】
（実施の形態３）
図９は、実施の形態３に係る商品陳列用ラックである陳列用シェルフ７０の構成を示す概略斜視図である。
【００６８】
実施の形態３に係る陳列用シェルフ７０は、三段の棚を含む商品を陳列する空間（３次元空間）７１を有する。この３次元空間７１の内側に、三段の棚の面に沿ってリーダライタアンテナ２０の放射部２７が配置されている。一方、リーダライタアンテナ２０の非放射部２８が３次元空間７１の外側を３周するように囲んでいる。このリーダライタアンテナ２０の非放射部２８がシールド部材として機能する。この陳列用シェルフ７０によって、空間７１内に陳列された商品に付されたＲＦＩＤタグを適切に読み取ることができる。
【００６９】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００７０】
本発明に係る商品陳列用ラック及びこれを用いた商品管理システムによれば、ケーブル状のリーダライタアンテナを用いているので、隣接するラックのアンテナとの干渉を生じにくく、隣接するラックに陳列された商品のＲＦＩＤタグを読みにくく、リアルタイムの商品管理ができる。
【符号の説明】
【００７１】
１、１ａ、１ｂ  ＲＦＩＤタグ
２、２ａ、２ｂ  商品（衣服）
３，３ａ  ハンガー
４、４ａ  陳列する空間
１０、１０ａ  ラック（ハンガーラック）
１１、１１ａ  ハンガーパイプ
１２、１２ａ  支柱
１３、１３ａ  底部
１４、１４ａ  キャスター
２０、２０ａ、２０ｂ  リーダライタアンテナ
２２  通信モジュール
２１  ケーブル状本体部
２３  給電部
２４  内部導体
２５  外部導体
２６  磁性体
２７  放射部
２８  非放射部
３０  整合回路部
３１  第１導体層
３２  ビアホール導体
３３  第２導体層
３４  絶縁体
３５  キャパシタ成分
３６  インダクタ成分
３８ａ、３８ｂ、３８ｃ、３８ｄ、３８ｅ  コネクタ
３９ａ、３９ｃ、３９ｅ、３９ｇ  凸部
３９ｂ、３９ｄ、３９ｆ、３９ｈ  凹部
４０ａ、４０ｃ  第１ケーブル部
４０ｂ  第２ケーブル部
４０ｄ、４０ｆ  第３ケーブル部
４０ｅ  第４ケーブル部
４１、４１ａ  ＲＦＩＣ素子
４２、４２ａ  アンテナ素子
４３ａ、４３ｂ  ミアンダ状アンテナ素子
４４  内部側通信用ＲＦＩＣ素子
４５  制御ＩＣ
４６  外部側通信用ＲＦＩＣ素子
４７  外部側通信用アンテナ
４８  ＲＦＩＤ通信
５０  店舗側端末
５１  店舗側アンテナ
５２  店舗側ＲＦＩＣ素子
５３  店舗側制御ＩＣ
５４  ＷｉＦｉ（登録商標）／Ｂｌｕｅｔｏｏｔｈ（登録商標）通信
６０  陳列台
６１  陳列する空間
７０  陳列用シェルフ
７１  陳列する空間
７４  給電端
【図１】
2019205483.tif 000003
【図２】
2019205483.tif 000004
【図３Ａ】
2019205483.tif 000005
【図３Ｂ】
2019205483.tif 000006
【図４Ａ】
2019205483.tif 000007
【図４Ｂ】
2019205483.tif 000008
【図４Ｃ】
2019205483.tif 000009
【図５Ａ】
2019205483.tif 000010
【図５Ｂ】
2019205483.tif 000011
【図６】
2019205483.tif 000012
【図７Ａ】
2019205483.tif 000013
【図７Ｂ】
2019205483.tif 000014
【図７Ｃ】
2019205483.tif 000015
【図７Ｄ】
2019205483.tif 000016
【図７Ｅ】
2019205483.tif 000017
【図７Ｆ】
2019205483.tif 000018
【図８】
2019205483.tif 000019
【図９】
2019205483.tif 000020